(57)【要約】  インプラントを作製するための方法およびシステムにおいて、後者はインプラントの長手方向に延在する一つまたはそれ以上の外表面を持つように設計される。二つまたは三つの生産段階が使用される。一つの生産段階において、長波パターンを持つトポグラフィが切削加工によって作製されるか、もしくはレーザ衝撃またはさらなる切削加工が中間長の波形パターンを持つトポグラフィを作製するために使用される。さらに、酸化プロセスまたはショットピーニングまたはエッチング法が外部層を作製するために使用される。前記生産段階の二つが使用される場合、前記切削加工または前記レーザ衝撃またはさらなる切削加工のいずれかの後に、酸化プロセスまたはショットピーニングまたはエッチング法が続く。三つの生産段階を全て使用する場合、切削加工の後にレーザ衝撃またはさらなる切削加工が続き、その後に今度は例えば酸化プロセスが続く。本発明はまた、前記方法を使用して作製されるインプラントおよび前記システムを使用して識別、注文そして作製されるインプラントに関する。本発明は様々なインプラントの状況の効果的な治療を提供する。
2005512729.tif 000002
【特許請求の範囲】
【請求項１】
インプラントの長手方向に延在する一つまたはそれ以上の外表面を持つように設計されたインプラントを作製するための方法であって、関係する外表面について以下の二つまたは全ての生産段階によって特徴付けられ：
ａ）波形が実質的に前記長手方向に延在する長波パターンを持つトポグラフィが、切削加工によって作製される、
ｂ）例えば振動運動を含むレーザ衝撃または切削加工は、波形が好ましくは前記長手方向に延在する中間長の波形パターンを持つトポグラフィを作製するために使用される、
ｃ）酸化プロセスまたはショットピーニングまたはエッチング法が酸化物層またはショットピーニングされた層またはエッチングされた層を作製するために使用される、
そして前記生産段階の二つが使用される場合、ａ）に記載の前記切削加工またはｂ）に記載の前記レーザ衝撃または切削加工のいずれかの後に、酸化プロセスが続き、三つの生産段階を全て使用する場合、ａ）に記載の切削加工の後にｂ）に記載のレーザ衝撃また切削加工が続き、その後に今度は酸化プロセスまたはショットピーニングまたはエッチング法が続くインプラントを作製するための方法。
【請求項２】
長手方向に延在する一つまたはそれ以上の外表面を持つインプラントであって、関係する外表面が以下のいずれかによって構成されることを特徴とするインプラント：
ａ）長波または中間長の波を持つ下部波形パターン、および前記波形パターンの上に配設される酸化物層またはショットピーニングまたはエッチング層であり、その場合長波および好ましくは中間長の波が実質的に前記長手方向に延在する、
ｂ）長波を持つ下部波形パターン、前記波形パターンの上に配設される中間長の波の波形パターン、および前記波形パターンの上に配設される酸化物層またはショットピーニングされた層またはエッチングされた層であり、その場合前記長波および前記中間長の波が実質的に前記長手方向に延在する。
【請求項３】
各波形パターンおよび層の組合せは、実際のインプラント状況に関する一つまたはそれ以上のパラメータ、例えば表面積、表面体積、ならびにＲａおよびＰＶ値に関する値（データ）を作製するために構成されることを特徴とする請求項２に記載のインプラント。
【請求項４】
前記波形パターンの組合せのない従来のインプラントと比較して、表面積の最適増加および／または表面体積の最適増加を備え、その表面は下部波形を切削加工によって確立し、中間パターンをレーザ衝撃または切削加工によって確立し、および最上パターンを酸化プロセスまたはショットピーニングまたはエッチング法によって作製することにより設計されることを特徴とする請求項２または３に記載のインプラント。
【請求項５】
切削加工によって得られる下部波形パターンを持つ場合、このパターンは２５ないし２００μｍ、好ましくは５０ないし１５０μｍの範囲の深さを持つように選択された、実質的に平行な谷またはくぼみを含むことを特徴とする請求項２、３または４に記載のインプラント。
【請求項６】
レーザ衝撃によって得られる下部または中間波形パターンを持つ場合、このパターンは１０ないし７５μｍの範囲の深さを持つように選択された、平行な谷またはくぼみを含むことを特徴とする請求項２〜５のいずれかに記載のインプラント。
【請求項７】
各外表面は、その長手方向に沿って異なる波形パターンおよび層の組合せを持つように設計されることを特徴とする請求項２〜６のいずれかに記載のインプラント。
【請求項８】
骨縁部における補綴構造に取り付けられる部分が、前記組合せを持つインプラントに比較して表面積および表面体積の増加が比較的小さい波形パターンおよび層の組合せを与えられることを特徴とする請求項２〜７のいずれかに記載のインプラント。
【請求項９】
長波および中間長の波が規則正しいことを特徴とする請求項２〜８のいずれかに記載のインプラント。
【請求項１０】
一つまたはそれ以上の波形パターンの波は前記長手方向に沿って規則正しく、または不規則に減少することを特徴とする請求項２〜９のいずれかに記載のインプラント。
【請求項１１】
様々な治療状況を意図した単数または複数のインプラントを提供するためのシステムであって、それぞれのインプラントの識別および可能な解析および／または修正のための第一部材、識別および可能な解析および／または修正に関連するデータ情報（ｉ１および／またはｉ２）を送信するための第二部材、および前記データ情報の関数として、それぞれのインプラントを作製するように構成された第三部材を含むシステムにおいて、データ情報が、インプラントの長手方向に延在する一つまたはそれ以上のインプラントの外表面の上に相互に重ねて配設される波形パターンおよび層の組合せを開始または起動させるように配設されること、およびデータ情報は、一方で切削加工によって得られる長波を持つ下部波形パターン、またはレーザ衝撃もしくは切削加工によって得られる中間長の波を持つ下部波形パターンを含み、かつ他方で酸化プロセスまたはショットピーニングまたはエッチングによって得られる最上層を含む第一の波形のパターンの組合せを開始するように、または切削加工によって得られる長波を持つ下部波形パターン、レーザ衝撃または切削加工によって得られる中間長の波を持つ中間波形パターン、および酸化プロセスによって得られる最上層を含む第二の波形パターンおよび層の組合せを開始するように構成されることを特徴とするシステム。
【請求項１２】
第一部材は、様々な骨部、例えば顎骨部を様々な波形パターンおよび層の組合せに割り当てるように構成されることを特徴とする請求項１１に記載のシステム。
【請求項１３】
第一部材は、一つだけの波形パターンと、前記波形パターンの組合せを持つインプラントに比較して面積および／または体積の増加が比較的小さい最上層を持つ波形パターンおよび層の組合せに、硬骨または硬骨部を割り当てるように構成されることを特徴とする請求項１１または１２に記載のシステム。
【請求項１４】
第一部材は、相互に上に重ねて配設された一つまたは二つの波形パターンと、面積および／または体積の増加が比較的大きい最上層とを持つ波形パターンおよび層の組合せに、中間的硬さの骨または骨部分を割り当てるように構成されることを特徴とする請求項１１、１２または１３に記載のシステム。
【請求項１５】
第一部材は、相互に上に重ねて配設された二つの波形パターンおよび最上層を有する波形パターンおよび層の組合せに軟質の骨だけを割り当てるように構成されることを特徴とする請求項１１〜１４のいずれかに記載のシステム。
【発明の詳細な説明】
【技術分野】
【０００１】
本発明は、インプラントまたはフィクスチャの長手方向の周囲に延在する一つまたはそれ以上の外表面を持つように設計されたインプラントまたはフィクスチャを作製するための方法に関する。本発明はさらに、そのような外表面を持つインプラント、およびインプラントを提供するためのシステムに関する。前記システムは、それぞれのインプラントの識別および可能な解析および／または修正のための第一部材、識別およびおそらく解析および／または修正に関連するデータ情報を送信するための第二部材、および前記データ情報の関数として、それぞれのインプラントを作製するように構成された第三部材を含む。
【背景技術】
【０００２】
本発明は、とりわけ、インプラントが骨に嵌めこまれたときに、例えばチタン材の上の多孔性酸化物層を使用して骨の成長を刺激することができるという認識に基づく。酸化物層の構造については非常に多数の提案が行なわれており、とりわけ、本特許出願の出願人が取得した特許および同人によって行なわれた特許出願、すなわちＳＥ９７０１８７２−５、ＳＥ９９０１９７１−３、ＳＥ９９０１９７４−７、ＳＥ０００１２０１−３、およびＳＥ０００１２００２−１を参照することができる。また、非常に一般的に、ＵＳ４３３０８９１およびＥＰ６７６１７９をも参照することができる。
【０００３】
骨または軟組織と協力してのみ機能する、多数の公知の酸化物層の構造が提案されており、かつ骨の成長を刺激する物質の担持体として機能する、多数の公知の酸化物層の構成が提案されている。上述した特許および特許出願、ならびに同一出願人が取得した特許および提出された特許出願、すなわちＳＥ９９０１９７２−１、ＳＥ９９０１９７３−９、ＳＥ０１０２３８８−６、ＳＥ０１０２３８９−４、ＳＥ０１０２３９０−２、ＳＥ０１０２３９１−０、およびＳＥ９７０１６４７−１を参照することができる。また、前記特許および特許出願に示された特許、特許出願、および刊行物をも参照することができる。
【０００４】
インプラントの微細加工された外表面の作製は、ＳＥ９８０１１８８−５（本願と同一出願人による）、ＵＳ５５８８８３８、ＥＰ７２０４５４、およびＥＰ４７５３５８でも論じられている。
【０００５】
インプラントの取付けに関連して、最適かつ高品質のインプラント結果を達成できるようにするために、かなりの要件がある。様々な患者および様々な埋込み状況に利用することができる、多数のパラメータにアクセスできることが必要である。患者および施術者の要求を考えると、様々な事例に全てのパラメータを適用することはできない。骨の質、患者の姿勢、費用等は制限要因となり得、たとえ優れた結果を可能にする開発研究および提案が一つの方向に動いている場合でも、様々な個々の事例において、代替的解決策を提案し、あるいは使用する必要があるかもしれない。したがって、例えば、骨成長刺激物質を避けながら、依然として特定の下地層と一緒に関連酸化物層を使用する必要があるかもしれない。本発明は、とりわけこの問題を解決することを目的とし、一般市場で入手可能な非常に広範囲の種類の構成部品および設計から選ばれた特定の選択および独自の組合せを表す最適かつ効果的なインプラント取付具のための新規の解決策を提案する。
【発明の開示】
【０００６】
本発明は、特定の骨、例えば顎骨におけるインプラントの効果的な組み込みを達成し、それによって短時間で、例えばわずか１日ないし５日で、骨におけるインプラントの実質的な安定性を達成するという発想に基づく。本発明はこの問題をも解決する。一実施形態では、インプラントが骨、例えば顎骨から出現する部分における細菌の成長を防止するかまたはそれに対抗することが重要である。この問題も本発明によって解決される。
【０００７】
また、コンピュータ化された機器および機械的生産機器を使用して個々の要件を識別し、注文機能を実行し、識別されかつ注文されたインプラントを非常に高い精度で作製することができる、経済的かつ効率的な生産チェーンを得る技術的に経済的な方法を見出すことも必要である。本発明はこの問題も解決する。
【０００８】
基本的に本発明に係る方法またはインプラントを特徴付けるとみなすことができる特徴は、関係する各外表面に対して多数の生産段階が使用されることである。したがって、とりわけ、波形が実質的にインプラントの長手方向に延在する長波パターンを持つトポグラフィを、切削加工によって作製することを提案する。代替的に、または追加的に、波形が前記長手方向に延在する中間長の波形パターンを持つトポグラフィを、レーザ衝撃または切削加工によって作製する。それは振動運動を含むかまたは使用することができる。酸化物層を作製するために、酸化プロセスも使用する。代替的に、ショットピーニングまたはエッチング法を使用して、ショットピーニングまたはエッチングされた層を作製することができる。本発明では、前記生産段階の少なくとも二つが使用され、前記切削加工または前記レーザ衝撃または切削加工のいずれかの後に、酸化プロセスまたはショットピーニングまたはエッチング法が続く。三つの生産段階を全て使用する場合、切削加工が最初に行なわれ、その後にレーザ衝撃またはさらなる切削加工が続き、その後に今度は酸化プロセスまたはショットピーニングまたはエッチング法が続く。
【０００９】
本発明に係るインプラントまたはフィクスチャは、二つの構成可能性のいずれかによって特徴付けられると考えることができる。第一の場合、長波または中間長の波を持つ下部波形パターンが表面またはその材料の上に配設され、酸化物層またはショットピーニング層またはエッチング層が、下部波形パターンの上に配設される。長波および中間長の波は、実質的に前記長手方向に延在する。第二の場合、長波を持つ下部波形パターンが使用され、次にそこに中間長の波の波形パターンが配設される。最後に示した波形パターンの上に酸化物層またはショットピーニングまたはエッチング層が配設される。前記長波および中間長の波は、実質的に前記長手方向に延在する。
【００１０】
各波形パターンおよび層の組合せは、実際のインプラント状況に関する一つまたはそれ以上のパラメータの値またはデータ、例えば表面積、表面体積、ならびにＲａおよびＰＶ値を得るように構成することが好ましい。下部波形を切削加工によって確立し、中間パターンをレーザ衝撃またはさらなる切削加工によって確立し、最上層を酸化プロセスによってまたはショットピーニングまたはエッチングによって確立することにより、表面積の最適増加および／または表面体積の最適増加を備えた各表面が設計される。切削加工によって得られる下部波形パターンの場合、このパターンは、２５ないし２００μｍ、好ましくは５０ないし１５０μｍの範囲の深さを持つように選択された、実質的に平行な谷またはくぼみを含む。例えば、単数または複数のねじ切りされた表面の場合、谷は、インプラントの主方向の各ねじ山の螺旋に従う。レーザ衝撃またはさらなる切削加工によって確立された、下部中間波形パターンは相応して実質的に平行な谷またはくぼみを含み、それは１０ないし７５μｍの範囲の深さおよび７５ないし１５０μｍの直径を取ることができる。最上部のパターンは、それ自体公知の方法で配設することができる。各外表面は、その長手方向の広がりに沿って異なる波形パターンおよび層の組合せを持つように設計することができる。当該骨、例えば顎骨から出現するインプラントの部分には、単数または複数の前記波形パターンおよび層の組合せを持つ表面に比較して、表面積または表面体積の増加が比較的小さい波形パターンおよび層の組合せがある。
【００１１】
基本的に本発明に係るシステムを特徴付けるとみなすことができる特徴は、導入部で示したデータ情報が、インプラントの長手方向に延在する一つまたはそれ以上のインプラントの外表面の上に相互に重ねて配設される波形パターンおよび層の組合せを開始または起動させるように設計されていることである。コンピュータ情報は、一方で切削加工による長波を持つ下部波形パターン、またはレーザ衝撃もしくはさらなる切削加工による中間長の波を持つ下部波形パターンを含み、かつ他方で上に載っている酸化物層を含む、第一の波形パターンおよび層の組合せを開始させるように設計することができる。代替的可能性では、データ情報は、切削加工による長波を持つ下部波形パターン、レーザ衝撃または切削加工によって得られる中間長の波を持つ中間に位置する波形パターン、および上に載っており、酸化プロセス、エッチング、またはショットピーニングによって得られる層を持つ、第二の波形パターンおよび層の組合せを開始させることができる。
【００１２】
一実施形態では、導入部で示した第一部材は、様々な骨部、例えば顎骨部を様々な波形パターンおよび層の組合せに割り当てるように設計される。第一部材は、相互に上に重ねて配設され、かつ前記波形パターンおよび層の組合せを持つインプラントに比較して面積および／または体積の増加が比較的小さい二つの波形パターンだけを持つ波形パターンおよび層の組合せに、硬骨または硬骨部を割り当てるように構成することができる。第一部材はまた、相互に上に重ねて配設された一つまたは二つの波形パターンと、波形パターンおよび層の組合せを有するインプラントの場合と比較して面積および／または体積の増加が比較的大きい層とを持つ波形パターンまたは層の組合せに、中間的硬さの骨または骨部分を割り当てるように構成することがもできる。第一部材はまた、相互に上に重ねて配設された三つの波形パターンおよび層等々を有する波形および層のパターンに軟質の骨だけを割り当てるように構成することもできる。本発明に係るシステムのさらなる実施形態は、システムに関する従属請求項に記載されている。
【００１３】
上に提案したものによって、洗練された高精度の処置方法およびインプラント構成を、多種多様な既存の骨の種類に効果的に使用することができる。骨構造に関係なく、骨形成および治癒機能を効果的に刺激することができる。歯科医、口腔外科、歯科技師、および機械生産を含む治療チェーン全体に、有利な構成を提供することができる。
【００１４】
今提示する本発明に係る方法、インプラント、およびシステムについて、添付の図面を参照しながら以下で説明する。
図１は、切削加工によって得られた第一の下部波形パターンの一部分の拡大線図表現を示す。
図１ａは、レーザ衝撃によって得られる、図１に対して拡大した第二の波形パターンの線図表現を示す。
図１ｂは、図１および１ａに対して拡大した、酸化によって得られる層の線図表現を示す。
図１ｃは、谷および山を持つねじ切りされたインプラントの部分を縦断面図で示す。
図２は、部分的に示した顎骨内のインプラントを縦断面図で示す。
図３は、ねじ山の外表面が、下部谷をレーザ衝撃によって得られた中間波形パターンおよび最後に示した波形パターンの上に施与された酸化物層によって被覆するように設計されて成る、インプラントの外ねじ山の部分を縦断面図で示す。
図４は、レーザ衝撃によって確立された中間波形パターンおよび前記パターンの上に施与された酸化物層の下に構成されたインプラントの外ねじ山の部分を、図１に対して拡大した縦断面図で示す。
図５は、約７５μｍの波の高さまたは波の深さを持つ波形パターンを別の尺度の縦断面図で示す。
図６は、切削加工によって得られ、１２５μｍの谷の深さおよび酸化物層の形の外部被覆を持つ、波形パターンを縦断面図で示す。
図７は、上に載っている酸化物層の第一実施形態を外側から斜めに見た斜視図で示す。
図８は、様々な波形パターンの組合せをブロック図の形で示す。
図９は、顎骨の様々な骨部に波形パターンを割り当てるためのシステム、およびインプラントの識別、転送、および作製のための部材を示す。
【発明を実施するための最良の形態】
【００１５】
図１で、インプラントのねじ山の外部分は１で示される。表面は、公知の方法で切削加工によって、例えば旋削、フライス削り、またはショットピーニングによって作製される基礎構造を含む。基礎構造は、長波の下部波形パターンを持つように設計される。波の長さＡは７５ないし２５０μｍの範囲で選択される。外表面１は、図１に対して拡大して図１ａに別個に示された第二波形パターン３により波立ちあるいはうねる。第二パターンの波または山の波の長さＢは５０ないし１００μの範囲で選択され、波は谷またはくぼみ４を介して接合される。この中間層はレーザ照射によって得られる。図１、１ａおよび１ｂに係る例示的実施形態では、波立つ外表面３に今度は、図５に別個に示され図１ｂに対して大きく拡大された酸化物層５から成る外層が設けられる。波形パターン１の谷の深さＣは２５ないし２００μｍ、好ましくは７５ないし１５０μｍの範囲で選択することができる。図１に係る波形パターンは実質的に規則正しく、または少し不規則にすることができ、インプラントの主長手方向に沿って、すなわち主方向に平行であって矢印６によって示される方向に延在するとみなすことができる。経路はねじ山の外表面に沿って、すなわちその長さに沿って少しジグザグ構成に続く。波形はまた、ねじ切りまたは非ねじ切り円錐形表面に沿って延在することもできる。
【００１６】
図１ａに係る波形パターンは、下部パターンのそれに実質的に相応する経路を持つことができ、あるいは後者の経路とは異なることができる。このパターンの谷の深さＤは、１０ないし７５μｍの範囲で選択することができる。
【００１７】
図１ｂに係る酸化物層５は、公知の技術を使用して選択しかつ構成することができる。一実施形態では、波形パターン５は不規則にすることができる。孔の深さＦは変化することができ、０．０１ないし１０μｍ、好ましくは２ないし４μｍの範囲で選択することができる。
【００１８】
本発明は、歯科的状況で、例えば図２で小柱部８および表層部９を持つように示された顎骨８に関連して、インプラント７に適用することができる。インプラントは一つまたはそれ以上の外ねじ山７ａ、および顎骨９ａの上面９ｂから出現する部分７ｂを有する。インプラントの上に固定することができる補綴構造が１０で象徴的に示される。ねじ山表面および出現部７ｂの外表面７ｂ’には異なる波形パターンの組合せを使用することができ、最後に示した表面には、組織の取込みのプロセス中に細菌の蓄積に対抗するために、わずかな表面の不規則性をもたらす波形パターンが設計される。インプラントの長手軸は７ｃで示される。
【００１９】
図３は、約７５μｍの深さを持つ中間の谷１２を有する長波１１の下部波形パターンを持つ、パターンおよび層の組合せに基づくトポグラフィを示す。谷はねじ山上に実質的に平行に延在し、インプラントの主長手方向にそれらのピッチに従う。パターンおよび層の組合せは１３で示され、レーザ装置によって得られる中間長の波または短波の中間長の波形パターン（図１、１ａ、および１ｂ参照）も含むことができる。上に載った酸化物層も設けることができる。
【００２０】
図４は、レーザ衝撃によって得られる中間長の波および酸化プロセスによって得られる最上部酸化物層に基づくパターンの組合せを示すように意図されている。
【００２１】
図５および６は、機械加工によって得られ、７５μの谷の深さを持つ長波の波形パターン、および１２５μの谷を持ち、酸化物層で被覆された機械加工（旋削）波形パターンを持つパターンおよび層の組合せを示すように意図されている。
【００２２】
酸化物層１４の形は、図７により詳細に示されている。酸化物層は下部波形パターンの形状、すなわち１５によって示されたパターン形状に従う。それ自体公知の孔と隆線の配列が層の頂面に存在する。
【００２３】
図８は、異なる性質を持つ多数のパターンおよび層の組合せを示す。第一パターン組合せ１６は、上記に従って機械加工および７５μｍの谷の作製によって得られた長波トポグラフィを含む。長波トポグラフィは下部波形パターンとして役立ち、その上にそれ自体公知の種類とすることができる酸化プロセスを使用して酸化物層が施与される。導入部に示した参考文献を参照されたい。
【００２４】
第二パターン組合せ１７では、中間長の波を持つ波形パターンを含む二重波トポグラフィが使用される。この波形パターンは、インプラントの外表面または当該ねじ山の外表面に衝撃を加えるレーザ装置を使用して、それ自体公知の方法で形成することができる。この場合、中間長の波を持つパターン上に、酸化プロセスを使用してそれ自体公知の方法で施与される酸化物層が配設される。
【００２５】
さらなるトポグラフィ構成が１８で示される。この場合、インプラントの元来の表面またはそのねじ山は、７５μｍの谷を持つ長波パターンが形成されるように、切削加工、例えば旋削、フライス削り、またはショットピーニングによって作製される。中間に位置し、例えば前記レーザ衝撃によって得られる中間長のトポグラフィを持つ波形パターンが、第一波形パターン上に配設される。次に、中間に位置する前記層の上に酸化物層が配設される。
【００２６】
図９で、上顎は１９で示され、下顎は２０で示される。図で、歯はそれぞれ２１および２２によって示される。当該顎骨は様々な部分１９ａ、１９ｂ、１９ｃ、１９ｄおよび１９ｅを含むことができる。異なる部分は異なる硬度を有し、インプラントを設ける場合、各々の場合に満足のいく埋込み結果を達成するために、それらに異なる処置を施す必要がある。したがって、硬質部分１９ａは低いＲａ値を持つインプラントを必要とする。この場合、骨成長および組織の取込みは、骨と協働することができる表面を持つインプラントの例えば表面積および表面体積にあまり依存しない。部分１９ｂおよび１９ｄは中間硬度の骨を表し、ここでは、パラメータの選択に関して、他の考慮事項を適用することができる。部分１９ｃおよび１９ｅは軟質の骨部分を表し、ここでは再び、当該骨構造に対して大きい表面積および大きい体積を持つインプラントを持つことが重要である。図９では、コンピュータに基づく装置２３、２４を設け、それによって顎骨の状態、インプラントの種類等を識別し、かつ評価することができる。装置２３および２４はまた当該インプラント状況の解析も可能にし、当該状況に応じるために、可能な調整または仮想適用を行なうことができる。前記解析、調整等々は、関係する担当者の経験に基づいて実行することができる。ライブラリ機能も使用することができ、２３ａおよび２４ａによって表されている。経験、標準機能、アルゴリズム等は前記ライブラリ機能に格納することができ、前記画定、解析、および／または調整のために検索することができる。
【００２７】
様々な骨部分のための走査機能を設けることができ、それは矢印２５、２６、および２７によって示されている。図９による骨部分および顎骨は異なる患者に関連付けることができ、実線および破線の矢印は、各患者または患者群が、それ自体公知とすることのできる様々な装置２３および２４を使用することができ、それによって用を足すことができることを示す。
【００２８】
図９はまた、識別され、解析され、かつ／または調整された設置物またはインプラント、インプラントの種類等が、実線の矢印によって表される注文情報ｉ１の一部を形成するように設計することができることも示す。注文は、多数の歯科医のために働く中央装置に、または特定のグループの歯科医、外科医等用に意図された中央装置２８に送ることができる。一実施形態では、情報ｉ１の転送は、それ自体公知の方法で公衆電話網および／またはコンピュータネットワークを介して、行なうことができる。中央装置２８は、装置２８からまたは装置２３、２４から直接データ情報（データファイル）を得る機械２９を含むかあるいは今度は使用し、その情報によって様々な機械部分を制御することができる。データ情報ｉ２は図では実線で表されている。実線の矢印すなわちデータ情報またはデータ情報項目ｉ１、ｉ２の通信は、双方向とすることができる。機械装置または生産装置は様々な種類の機器を含み、あるいは使用することができる。したがって、例えば７５μｍの谷の深さを持つ波形パターンをもたらすために切削加工を行なう装置３０を使用することができる。図９では、１２５μｍの谷の深さを持つ波形パターンをもたらす切削加工を行なう装置３１が設けられている。外表面のレーザ処理は装置３２で行なわれ、装置３３では、酸化設備を使用して外表面に酸化物層が得られる。装置３２は代替的に、公知の方法で振動運動を伴う切削加工を表すことができる。代替的に、装置３３はショットピーニング装置、例えば公知の種類のサンドブラスト装置、または公知の方法で酸（フッ化水素酸）および硝酸を使用するエッチング装置を表すことができる。ここで、フッ化水素酸および硝酸からなるＨＦ混合物を使用することができる。
【００２９】
様々な装置３０、３１、３２および３３はそれ自体公知の方法で設計することができ、一般的先行技術を参照されたい。また、導入部で示した参考文献も参照されたい。インプラントまたはフィクスチャを作製するためのブランクは、上述したパターン組合せを得るために処理され、インプラントまたは同等物はリンクによって、または３４で示された輸送によって、様々な装置３０、３１、３２および３３に転送される。様々な処理段階が３５、３６、３７および３８によって表されている。処理あるいは作製されたインプラントの中央装置２８および歯科医、外科医、病院等への返送は、３９によって表されている。中央装置は、注文を受け取り、機械２９における製作を確実にし、製作または処理されたインプラントを得る、中間段階を構成することができ、次いでインプラントは患者治療現場に返送される。波形パターンが延在する方向は、表面始点，例えばねじ山始点から計算し、表面終点またはねじ山終点で終了することができる。
【００３０】
本発明は、例として上に掲げた例示的実施形態に限定されず、むしろ、特許請求の範囲に記載する範囲および発明概念の範囲内でそれを変形することができる。同日に同一出願人が出願した「Ｍｅｔｈｏｄ  ｆｏｒ  ｐｒｏｄｕｃｉｎｇ  ａ  ｓｕｒｆａｃｅ  ｓｔｒｕｃｔｕｒｅ  ｏｎ  ａｎ  ｉｍｐｌａｎｔ，ａｎｄ  ｓｕｃｈ  ａｎ  ｉｍｐｌａｎｔ（インプラントに表面構造を作製するための方法およびそのようなインプラント）」と称するスウェーデン特許出願も参照されたい。
【図面の簡単な説明】
【００３１】
【図１】図１は、切削加工によって得られた第一の下部波形パターンの一部分の拡大線図表現を示す。図１ａは、レーザ衝撃によって得られる、図１に対して拡大した第二の波形パターンの線図表現を示す。図１ｂは、図１および１ａに対して拡大した、酸化によって得られる層の線図表現を示す。図１ｃは、谷および山を持つねじ切りされたインプラントの部分を縦断面図で示す。
【図２】部分的に示した顎骨内のインプラントを縦断面図で示す。
【図３】ねじ山の外表面が、下部谷をレーザ衝撃によって得られた中間波形パターンおよび最後に示した波形パターンの上に施与された酸化物層によって被覆するように設計されて成る、インプラントの外ねじ山の部分を縦断面図で示す。
【図４】レーザ衝撃によって確立された中間波形パターンおよび前記パターンの上に施与された酸化物層の下に構成されたインプラントの外ねじ山の部分を、図１に対して拡大した縦断面図で示す。
【図５】約７５μｍの波の高さまたは波の深さを持つ波形パターンを別の尺度の縦断面図で示す。
【図６】切削加工によって得られ、１２５μｍの谷の深さおよび酸化物層の形の外部被覆を持つ、波形パターンを縦断面図で示す。
【図７】上に載っている酸化物層の第一実施形態を外側から斜めに見た斜視図で示す。
【図８】様々な波形パターンの組合せをブロック図の形で示す。
【図９】顎骨の様々な骨部に波形パターンを割り当てるためのシステム、およびインプラントの識別、転送、および作製のための部材を示す。
【図１】
2005512729.tif 000003
【図２】
2005512729.tif 000004
【図３】
2005512729.tif 000005
【図４】
2005512729.tif 000006
【図５】
2005512729.tif 000007
【図６】
2005512729.tif 000008
【図７】
2005512729.tif 000009
【図８】
2005512729.tif 000010
【図９】
2005512729.tif 000011
【国際調査報告】
2005512729.tif 000012
2005512729.tif 000013